(57)【特許請求の範囲】
【請求項１】
入射光を互いに偏光状態が異なる２種の光に分割することができるように形成されている互いに位相遅延特性が異なる第１領域及び第２領域と；上記第１領域及び上記第２領域に対して下記一般式１を満たす位相遅延領域、等方性領域または光散乱性領域である第３領域と；を含み、
上記第１領域及び上記第２領域は水平配向された重合性液晶化合物を含んで隣接して交互に配置され、
上記第３領域は上記第１領域及び上記第２領域の間の境界に配置され、
上記第３領域は、線偏光された入射光を線偏光された光または非偏光された光として射出させることができるように形成されている、偏光メガネ方式の立体映像表示装置に使用され偏光調節層を有する光学フィルタ：
［一般式１］
２ｘＡ＝（Ｒ＋Ｌ）
一般式１で、Ａは、光学フィルタ平面の任意の仮想の直線から時計回り方向に測定された上記仮想の直線と上記第３領域の光軸が成す角度であり、Ｒは、上記仮想の直線から時計回り方向に測定された上記仮想の直線と上記第１領域の光軸が成す角度であり、Ｌは、上記仮想の直線から時計回り方向に測定された上記仮想の直線と上記第２領域の光軸が成す角度である。
【請求項２】
上記第１領域及び上記第２領域は、線偏光された入射光を回転方向が互いに逆方向である２種の円偏光または楕円偏光に分割して射出させることができるように形成されている、請求項１に記載の光学フィルタ。
【請求項３】
上記第１領域及び上記第２領域は、共通方向に延長するストライプ形状を有しながら互いに隣接して交互に配置されており、上記第３領域は、上記第１領域及び上記第２領域の間に配置されている、請求項１または２に記載の光学フィルタ。
【請求項４】
上記第１領域及び上記第２領域は、格子形状で隣接して互いに交互に配置されており、上記第３領域は、上記第１領域及び上記第２領域の間に配置されている、請求項１または２に記載の光学フィルタ。
【請求項５】
上記第１領域及び上記第２領域は、面内における遅相軸方向の屈折率と面内における進相軸方向の屈折率の差が０．０５〜０．２であり、厚さが０．５μｍ〜２．０μｍである、請求項１から４の何れか１項に記載の光学フィルタ。
【請求項６】
上記第３領域は、非配向された液晶化合物を含む、請求項５に記載の光学フィルタ。
【請求項７】
右眼用信号と左眼用信号をそれぞれ生成することができる右眼用及び左眼用信号生成領域を含む立体映像表示素子と；
請求項１に記載の光学フィルタと；を含み、上記光学フィルタは、上記右眼用信号が入射され得る位置に第１領域及び第２領域のうちいずれか一方の領域が配置され、上記左眼用信号が入射され得る位置に上記第１領域及び上記第２領域のうち他方の領域が配置されるように含まれている偏光メガネ方式の立体映像表示装置。
【請求項８】
上記立体映像表示素子は、右眼用及び左眼用信号生成領域に隣接する光透過量調節領域をさらに含む、請求項７に記載の立体映像表示装置。
【請求項９】
上記光透過量調節領域は、正面観察した場合、上記右眼用及び左眼用信号生成領域の境界に位置し、また、上記右眼用または左眼用信号生成領域の一部分と重なるように位置する、請求項８に記載の立体映像表示装置。
【請求項１０】
上記光学フィルタは、下記数式１を満たす角度θＵ及び下記数式２を満たす角度θＬの最大値がいずれも３度以上になるように配置されている、請求項８または９に記載の立体映像表示装置：
［数式１］
ｔａｎθＵ＝（Ｈ１＋２ｙ）／２Ｔ
［数式２］
ｔａｎθＬ＝（Ｈ１＋２Ｈ２−２ｙ）／２Ｔ
上記数式１及び２で、Ｈ１は、上記光透過量調節領域の幅であり、Ｈ２は、上記光学フィルタの第３領域の幅であり、Ｔは、上記光透過量調節領域から上記光学フィルタの上記第３領域までの距離であり、ｙは、上記光透過量調節領域の幅を二等分する線の上記光透過量調節領域の表面に対する仮想の法線が上記第３領域と当接する地点から上記第３領域が存在する部分までの距離である。
【請求項１１】
正面で観察した相対輝度が６０％以上であり、
上記相対輝度は、上記第３領域および上記光透過量調節領域を含まない立体映像表示装置での輝度ＩＯに対する上記第３領域および上記光透過量調節領域を含む立体映像表示装置での輝度ＩＴの比率ＩＴ／ＩＯである、請求項１０に記載の立体映像表示装置。
【発明の詳細な説明】
【技術分野】
【０００１】
本出願は、光学フィルタ及び立体映像表示装置に関する。
【背景技術】
【０００２】
立体映像表示装置は、深さ感がある映像を表示することができるディスプレイ装置である。立体映像表示装置は、空間内で対象を立体的に表示することができるので、物体本来の３次元情報を完全に観察者に伝達することができ、リアリティーある表現が可能である。立体映像表示技術は、大きく、メガネ方式と無メガネ方式に区別される。また、メガネ方式は、偏光メガネ方式と液晶シャッターメガネ（ｌｉｑｕｉｄ  ｃｒｙｓｔａｌ  ｓｈｕｔｔｅｒ  ｇｌａｓｓ）方式に分類されることができ、無メガネ方式は、２眼式／多視点両眼視差方式、体積型方式またはホログラフィック方式などに分類されることができる。
【発明の概要】
【発明が解決しようとする課題】
【０００３】
本出願は、光学フィルタ及び立体映像表示装置を提供する。
【課題を解決するための手段】
【０００４】
例示的な光学フィルタは、互いに位相遅延特性が異なる第１領域及び第２領域を含み、また、上記第１及び第２領域と位相遅延特性が異なるかまたは散乱機能を有する第３領域を含むことができる。本明細書において「領域間の位相遅延特性が互いに異なるということ」は、対象領域がすべて位相遅延特性を有する領域である状態で各領域が互いに同一であるかまたは異なる方向に形成されている光軸を有し、また、位相遅延数値が互いに異なる領域である場合；及び互いに同一の位相遅延数値を有しながら異なる方向に形成されている光軸を有する場合が含まれることができる。他の例示では、「領域間の位相遅延特性が異なるということ」は、対象領域のうちいずれか１つの領域は、位相遅延特性を有する領域であり、他の領域は、位相遅延特性がない領域、例えば、光学的に等方性領域である場合が含まれることができる。１つの例示で、上記第１及び第２領域は、互いに異なる位相遅延特性を有し、例えば、線偏光された光が入射されれば、互いに偏光軸が実質的に垂直な２種の光に分割することができるか、または線偏光された光が入射されれば、互いに回転方向が逆方向である円偏光または互いに回転方向が逆方向である楕円偏光に分割することができる領域であることができる。
【０００５】
上記光学フィルタは、例えば、立体映像表示装置に適用される立体映像表示装置用光学フィルタであることができる。
【０００６】
１つの例示で、立体映像表示装置（以下、簡略に表示装置と呼称されることができる）は、図２のように、光源４、表示素子２及び光学フィルタ１を含むことができる。表示装置が偏光メガネタイプなら、観察者は、偏光メガネを着用し、表示装置から出力される立体映像を観察することができる。
【０００７】
表示装置において光源４は、例えば、駆動状態で非偏光状態の光を表示素子２に向けて射出することができる。用語表示装置の「駆動状態」は、上記表示装置が動作している状態であって、映像、例えば、立体映像を表示している状態を意味することができる。
【０００８】
表示素子２の両側には、偏光板３Ａ、３Ｂが配置されることができる。以下、本明細書においては、表示素子２と光源４との間に配置された偏光板３Ａを第１偏光板と称し、表示素子２と光学フィルタ１との間に配置された偏光板３Ｂは、第２偏光板と称することができる。第１及び第２偏光板３Ａ、３Ｂは、例えば、それぞれ透過軸及び上記透過軸に直交する吸収軸を有することができる。また、第１及び第２偏光板の透過軸は、互いに異なる方向、例えば、互いに直交する方向に表示装置内に配置されていてもよい。
【０００９】
本明細書において角度を定義しながら使用する「垂直」、「水平」、「直交」または「平行」のような用語は、それぞれ目的とする効果を確保することができる範囲内での実質的な垂直、水平、直交または平行を意味することができる。上記各用語は、例えば、製造誤差（ｅｒｒｏｒ）または偏差（ｖａｒｉａｔｉｏｎ）などを勘案したものである。したがって、例えば、上記それぞれの用語は、約±１５度以内の誤差、約±１０度以内の誤差、約±５度以内の誤差または約±３度以内の誤差を含むことができる。
【００１０】
表示装置において光源４から射出された光が第１偏光板３Ａに入射すれば、上記第１偏光板の透過軸と平行な線偏光された光だけが表示素子２に伝達されることができる。
【００１１】
１つの例示で表示素子２は、２枚の基板の間に存在する液晶層を含む透過型液晶パネルであることができる。液晶パネルは、例えば、光源４側から順に配置された第１基板２４、画素電極、第１配向膜、液晶層、第２配向膜、共通電極及び第２基板２５を含むことができる。第１基板には、例えば、透明画素電極に電気的に接続された駆動素子としてＴＦＴ（Ｔｈｉｎ  Ｆｉｌｍ  Ｔｒａｎｓｉｓｔｏｒ）と配線などを含むアクティブ型駆動回路が形成されていてもよい。画素電極は、例えば、ＩＴＯ（Ｉｎｄｉｕｍ  Ｔｉｎ  Ｏｘｉｄｅ）などの金属酸化物を含むものであり、画素別電極として機能することができる。また、第１または第２配向膜は、例えば、液晶層の液晶を配向させる役目をすることができる。液晶層は、例えば、ＶＡ（Ｖｅｒｔｉｃａｌ  Ａｌｉｇｎｍｅｎｔ）、ＴＮ（Ｔｗｉｓｔｅｄ  Ｎｅｍａｔｉｃ）、ＳＴＮ（Ｓｕｐｅｒ  Ｔｗｉｓｔｅｄ  Ｎｅｍａｔｉｃ）またはＩＰＳ（Ｉｎ  Ｐｌａｎｅ  Ｓｗｉｔｃｈｉｎｇ）モードの液晶を含むことができる。液晶層は、駆動回路から印加される電圧によって、光源４からの光を画素別に透過または遮断する機能を有することができる。共通電極は、例えば、共通の対向電極として機能することができる。
【００１２】
表示素子２には、駆動状態で右眼用信号（以下、「Ｒ信号」という）を生成することができる右眼用信号生成領域２１（以下、「ＵＲ領域」という）と左眼用信号（以下、「Ｌ信号」という）を生成することができる左眼用信号生成領域２２（以下、「ＵＬ領域」という）として、それぞれ１つ以上の画素（ｐｉｘｅｌ）を含むＵＲ及びＵＬ領域２１、２２が形成されていてもよい。例えば、液晶パネルにおいて第１及び第２配向膜の間に密封された液晶を含む１つ以上の単位画素がＵＲまたはＵＬ領域を形成していてもよい。ＵＲ及びＵＬ領域は、行及び／または列方向に配置されていてもよい。
【００１３】
ＵＲ及びＵＬ領域は、例えば、図３のように、それぞれ共通方向に延長するストライプ状を有しながら互いに隣接して交互に配置されることができる。他の例示で、ＵＲ及びＵＬ領域は、図４のように格子パターンで互いに隣接して交互に配置されていてもよい。
【００１４】
例示的な表示素子は、また、ＵＲ及びＵＬ領域に隣接する光透過量調節領域（以下、「ＴＣ領域」）（図２の場合２３）を含むことができる。用語「ＴＣ領域」は、入射される光を遮断するか、または入射される光の一部を吸収し、他の一部のみを透過させることができるように形成された領域を意味することができる。ＴＣ領域は、例えば、入射される光の透過率、すなわち光透過率が０％〜２０％、０％〜１５％、０％〜１０％または０％〜５％である領域を意味することができる。
【００１５】
ＴＣ領域は、例えば、ブラックマトリックスであることができる。例えば、表示素子２が透過型液晶パネルである場合、ＴＣ領域は、前述したように、液晶パネルに含まれることができる第２基板に通常的に存在するカラーフィルタに含まれるブラックマトリックスであることができる。１つの例示で、ＴＣ領域は、クロム（Ｃｒ）、クロムとクロム酸化物の二層膜（Ｃｒ／ＣｒＯｘ二層膜）、カーボンブラック（ｃａｒｂｏｎ  ｂｌａｃｋ）、カーボン顔料などのような顔料（ｐｉｇｍｅｎｔ）を含む樹脂層またはグラファイト（Ｇｒａｐｈｉｔｅ）を含んで形成される領域であることができる。上記素材を使用してＴＣ領域を形成する方式は、特に制限されない。例えば、ＴＣ領域は、ブラックマトリックスを形成する通常的な方式であるポトリソグラフィ（ｐｈｏｔｏｌｉｔｈｏｇｒａｐｈｙ）やリフトオフ（ｌｉｆｔ  ｏｆｆ）方式などで形成することができる。
【００１６】
ＴＣ領域がＵＲ及びＵＬ領域に隣接するということは、視野角の範囲内に属する少なくともいずれか１つの角度で映像を観察するとき、ＵＲ及び／またはＵＬ領域で生成されたＲ信号及び／またはＬ信号が光学フィルタに伝達される過程でＲ及び／またはＬ信号の少なくとも一部がＴＣ領域に入射し、ＴＣ領域に入射した信号がＴＣ領域によって遮断されるか、またはＴＣ領域に入射した信号の一部だけがＴＣ領域を透過し、光学フィルタに伝達され得るようにする位置にＴＣ領域が存在することを意味することができる。１つの例示で、図３のように、ＵＲ及びＵＬ領域がストライプパターンで形成されている場合、ＴＣ領域は、図５のように、ＵＲ及びＵＬ領域の間に形成されることができる。他の例示で、図４のように、ＵＲ及びＵＬ領域が格子パターンで形成されている場合、ＴＣ領域は、図６のように、ＵＲ及びＵＬ領域の間に形成されることができる。
【００１７】
用語「視野角」は、例えば、ＵＬ領域で生成されたＬ信号が光学フィルタの左眼用信号偏光調節領域（以下、「ＦＬ領域」）を透過し、また、右眼用信号偏光調節領域（以下、「ＦＲ領域」）を透過することなく観察者に伝達されることができる角度の範囲またはＵＲ領域で生成されたＲ信号が光学フィルタのＦＲ領域を透過し、また、ＦＬ領域を透過することなく観察者に伝達されることができる角度の範囲を意味することができる。視野角を超過する角度では、Ｌ信号がＦＲ領域を透過するか、あるいはＲ信号がＦＬ領域を透過した後、観察者に伝達され、映像の品質を劣化させるいわゆるクロストーク（ｃｒｏｓｓｔａｌｋ）現象が起きることができる。上記で、ＦＲ及びＦＬ領域は、Ｒ及びＬ信号の偏光状態を互いに異なるように制御して射出させることができる光学フィルタの領域であり、例えば、上記光学フィルタが表示装置に適用されれば、第１及び第２領域のうちいずれか１つの領域は、ＦＲ領域として作用し、他の領域は、ＦＬ領域として作用することができる。
【００１８】
１つの例示で、ＵＲ及びＵＬ領域に隣接して存在するＴＣ領域は、ＵＲ及びＵＬ領域の間に位置することができる。ＴＣ領域がＵＲ及びＵＬ領域の間に存在する態様の例としては、同一平面上でＵＲ、ＴＣ及びＵＬ領域が順に位置する場合、または、ＵＲ及びＵＬ領域が位置する平面の前面または後面にＴＣ領域が位置する場合などが例示されることができる。ＵＲ及びＵＬ領域が位置する平面の前面または後面にＴＣ領域が位置する場合には、ＴＣ領域は、上記装置を正面で観察するとき、上記ＵＲ及び／またはＵＬ領域の少なくとも一部と重なった状態で存在することができる。
【００１９】
第１偏光板３Ａを通じて線偏光された光が表示素子２のＵＲ領域２１を透過すれば、Ｒ信号になり、上記線偏光された光が表示素子２のＵＬ領域２２を透過すれば、Ｌ信号になることができる。
【００２０】
第２偏光板３Ｂは、表示素子２からＲ及びＬ信号が入射されれば、第２偏光板３Ｂの透過軸と平行に線偏光された光のみを透過させることができる。
【００２１】
光学フィルタ１は、入射される光を互いに異なる偏光状態を有する２種以上の光、例えば、上記記述した互いに垂直な方向に直線偏光された２種の光または互いに回転方向が逆方向である円偏光または楕円偏光された光に分割することができる。
【００２２】
光学フィルタは、例えば、ＦＲ領域には、第２偏光板３Ｂを経たＲ信号が入射され、ＦＬ領域には、第２偏光板３Ｂを経たＬ信号が入射され得るように配置されていてもよい。光学フィルタのＦＲ及びＦＬ領域にそれぞれ入射したＲ及びＬ信号は、互いに偏光状態が異なるように変換されて射出され、観察者は、偏光メガネを着用し、上記信号を観察することによって、立体映像を認知することができる。
【００２３】
光学フィルタは、例えば、偏光調節層を含むことができる。偏光調節層には、前述した第１〜第３領域が形成されていてよい。
【００２４】
第１及び第２領域は、例えば、共通方向に延長するストライプ形状に形成され、また、互いに隣接して交互に配置されていてもよい。図７は、上記のように配置された第１領域１１と第２領域１２を例示的に示している。また、他の例示で、図８のように、第１及び第２領域１１、１２は、例えば、格子パターンで互いに隣接して交互に配置されていてもよい。
【００２５】
第３領域は、例えば、上記のように配置された第１及び第２領域の境界に位置することができる。図９は、上記記述した第１及び第２領域の配置が図７に示されたような状態で第３領域１３の存在を勘案してさらに図示した図である。図１０は、上記記述した第１及び第２領域の配置が図８に示されたような状態で第３領域１３の存在を勘案してさらに図示した図である。
【００２６】
例えば、線偏光された光が第１及び第２領域をそれぞれ透過すれば、実質的に互いに垂直な方向に線偏光されている光として排出されることができる。他の例示で、線偏光された光が第１及び第２領域をそれぞれ透過すれば、第１領域を透過した光と第２領域を透過した光のうちいずれか一方は、左円偏光された円偏光または楕円偏光の状態であり、他方の光は、右円偏光された円偏光または楕円偏光の状態で排出されることができる。このために、第１及び第２領域のうち１つ以上は、位相差層を含むことができる。例えば、左円及び右円偏光された信号を生成することができる場合としては、第１及び第２領域がいずれも位相差層を含み、第１領域に含まれる位相差層と第２領域に含まれる位相差層が１／４波長層である場合が例示されることができる。互いに逆方向に回転する円偏光または楕円偏光された光を生成するために、第１領域に配置された１／４波長層の光軸と第２領域に配置された１／４波長層の光軸は、互いに異なるように形成されていてもよい。１つの例示で、第１領域は、位相差層として第１方向に光軸を有する１／４波長層を含み、第２領域は、位相差層として上記第１方向とは異なる第２方向に光軸を有する１／４波長層を含むことができる。本明細書において、用語「ｎ波長層」は、入射する光をその波長のｎ倍だけ位相遅延をさせることができる位相遅延素子を意味することができ、上記で、ｎは、例えば、１／２、１／４または３／４であることができる。また、本明細書において用語「光軸」は、光が当該領域を透過する過程での遅相軸（ｓｌｏｗ  ａｘｉｓ）または進相軸（ｆａｓｔ  ａｘｉｓ）を意味することができ、例えば、遅相軸を意味することができる。
【００２７】
第１及び第２領域の態様が上記のような態様に制限されるものではない。例えば、第１及び第２領域のうちいずれか１つは、３／４波長層を含み、他の領域は、１／４波長層を含む場合にも、左円及び右円偏光された光を生成することができる。
【００２８】
他の例示では、上記第１及び第２領域のうちいずれか１つの領域は、１／２波長層であり、他の領域は、光学的に等方性である領域であることができる。このような場合には、第１及び第２領域をそれぞれ透過したＲ及びＬ信号は、実質的に互いに垂直な方向に偏光軸を有するように直線偏光された光の形態で光学フィルタで射出されることができる。
【００２９】
偏光調節層、例えば、上記第１及び／または第２領域と場合によって第３領域を形成する上記波長層は、例えば液晶層であることができる。例えば、配向されて位相遅延特性を示す液晶化合物を配向させ、必要な場合、重合させて、上記第１及び／または第２領域を形成することができる。
【００３０】
液晶層は、例えば、重合性液晶化合物を含むことができる。１つの例示で、液晶層は、重合性液晶化合物を重合された形態で含むことができる。用語「重合性液晶化合物」は、液晶性を示すことができる部位、例えば、メソゲン（ｍｅｓｏｇｅｎ）骨格などを含み、また、重合性官能基を１つ以上含む化合物を意味することができる。また、「重合性液晶化合物が重合された形態で含まれているということ」は、上記液晶化合物が重合され、液晶層内で液晶高分子の主鎖または側鎖のような骨格を形成している状態を意味することができる。
【００３１】
液晶層は、また、重合性液晶化合物を非重合された状態で含むか、重合性非液晶化合物、安定剤、非重合性非液晶化合物または開始剤などの公知の添加剤をさらに含むことができる。
【００３２】
１つの例示で、液晶層に含まれる重合性液晶化合物は、多官能性重合性液晶化合物と単官能性重合性液晶化合物を含むことができる。
【００３３】
用語「多官能性重合性液晶化合物」は、上記液晶化合物のうち重合性官能基を２個以上含む化合物を意味することができる。１つの例示で、多官能性重合性液晶化合物は、重合性官能基を２個〜１０個、２個〜８個、２個〜６個、２個〜５個、２個〜４個、２個〜３個または２個含むことができる。また、用語「単官能性重合性液晶化合物」は、上記液晶化合物のうち１つの重合性官能基を含む化合物を意味することができる。多官能性及び単官能性重合性化合物を一緒に使用する場合、液晶層の位相遅延特性を効果的に調節することができ、また、具現された位相遅延特性、例えば、位相遅延層の光軸や、位相遅延値を安定的に維持することができる。本明細書において用語「光軸」は、光が当該領域を透過するときの遅相軸または進相軸を意味することができる。
【００３４】
液晶層は、単官能性重合性液晶化合物を多官能性重合性液晶化合物を１００重量部に対して０重量部超過１００重量部以下、１重量部〜９０重量部、１重量部〜８０重量部、１重量部〜７０重量部、１重量部〜６０重量部、１重量部〜５０重量部、１重量部〜３０重量部または１重量部〜２０重量部で含むことができる。
【００３５】
上記範囲内で多官能性及び単官能性重合性液晶化合物の混合効果を極大化することができ、目的とする位相遅延値及び光軸を安定的に維持することができる。本明細書において特に別途規定しない限り、単位「重量部」は、重量の比率を意味することができる。
【００３６】
１つの例示で、上記多官能性または単官能性重合性液晶化合物は、下記化学式１で表示される化合物であることができる。
【００３７】
［化学式１］
【化１】
0005928755.tif 000002
【００３８】
化学式１で、Ａは、単一結合、−ＣＯＯ−または−ＯＣＯ−であり、Ｒ１〜Ｒ１０は、それぞれ独立して、水素、ハロゲン、アルキル基、アルコキシ基、アルコキシカルボニル基、シアノ基、ニトロ基、−Ｏ−Ｑ−Ｐまたは下記化学式２の置換基であるか、Ｒ１〜Ｒ５のうち隣接する２個の置換基の対またはＲ６〜Ｒ１０のうち隣接する２個の置換基の対は互いに連結され、−Ｏ−Ｑ−Ｐで置換されたベンゼンを形成し、且つ、Ｒ１〜Ｒ１０のうち少なくとも１つは、−Ｏ−Ｑ−Ｐまたは下記化学式２の置換基であるか、Ｒ１〜Ｒ５のうち隣接する２個の置換基またはＲ６〜Ｒ１０のうち隣接する２個の置換基のうち少なくとも１つの対は、互いに連結され、−Ｏ−Ｑ−Ｐで置換されたベンゼンを形成し、上記で、Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基などの重合性官能基である。
【００３９】
［化学式２］
【化２】
0005928755.tif 000003
【００４０】
化学式２で、Ｂは、単一結合、−ＣＯＯ−または−ＯＣＯ−であり、Ｒ１１〜Ｒ１５は、それぞれ独立して、水素、ハロゲン、アルキル基、アルコキシ基、アルコキシカルボニル基、シアノ基、ニトロ基または−Ｏ−Ｑ−Ｐであるか、Ｒ１１〜Ｒ１５のうち隣接する２個の置換基の対は、互いに連結され、−Ｏ−Ｑ−Ｐで置換されたベンゼンを形成し、且つ、Ｒ１１〜Ｒ１５のうち少なくとも１つが−Ｏ−Ｑ−Ｐであるか、Ｒ１１〜Ｒ１５のうち隣接する２個の置換基の対は、互いに連結され、−Ｏ−Ｑ−Ｐで置換されたベンゼンを形成し、上記で、Ｑは、アルキレン基またはアルキリデン基であり、Ｐは、アルケニル基、エポキシ基、シアノ基、カルボキシル基、アクリロイル基、メタクリロイル基、アクリロイルオキシ基またはメタクリロイルオキシ基などの重合性官能基である。
【００４１】
化学式１及び２で隣接する２個の置換基が互いに連結され、−Ｏ−Ｑ−Ｐで置換されたベンゼンを形成するということは、隣接する２個の置換基が互いに連結され、全体的に−Ｏ−Ｑ−Ｐで置換されたナフタレン骨格を形成することを意味することができる。
【００４２】
化学式２で、Ｂの左側の「−」は、Ｂが化学式１のベンゼンに直接連結されていることを意味することができる。
【００４３】
化学式１及び２で用語「単一結合」は、ＡまたはＢで表示される部分に別途の原子が存在しない場合を意味する。例えば、化学式１でＡが単一結合である場合、Ａの両側のベンゼンが直接連結され、ビフェニル（ｂｉｐｈｅｎｙｌ）構造を形成することができる。
【００４４】
化学式１及び２でハロゲンとしては、塩素、ブロムまたはヨードなどが例示されることができる。
【００４５】
本明細書において用語「アルキル基」は、特に別途規定しない限り、例えば、炭素数１〜２０、炭素数１〜１６、炭素数１〜１２、炭素数１〜８または炭素数１〜４の直鎖または分岐鎖アルキル基を意味するか、または、例えば、炭素数３〜２０、炭素数３〜１６または炭素数４〜１２のシクロアルキル基を意味することができる。上記アルキル基は、任意的に１つ以上の置換基により置換されることができる。
【００４６】
本明細書において用語「アルコキシ基」は、特に別途規定しない限り、炭素数１〜２０、炭素数１〜１６、炭素数１〜１２、炭素数１〜８または炭素数１〜４のアルコキシ基を意味することができる。上記アルコキシ基は、直鎖、分岐鎖または環状であることができる。また、上記アルコキシ基は、任意的に１つ以上の置換基により置換されることができる。
【００４７】
また、本明細書において用語「アルキレン基」または「アルキリデン基」は、特に別途規定しない限り、炭素数１〜１２、炭素数４〜１０または炭素数６〜９のアルキレン基またはアルキリデン基を意味することができる。上記アルキレン基またはアルキリデン基は、例えば、直鎖、分岐鎖または環状であることができる。また、上記アルキレン基またはアルキリデン基は、任意的に１つ以上の置換基により置換されることができる。
【００４８】
また、本明細書において「アルケニル基」は、特に別途規定しない限り、炭素数２〜２０、炭素数２〜１６、炭素数２〜１２、炭素数２〜８または炭素数２〜４のアルケニル基を意味することができる。上記アルケニル基は、例えば、直鎖、分岐鎖または環状であることができる。また、上記アルケニル基は、任意的に１つ以上の置換基により置換されることができる。
【００４９】
また、化学式１及び２でＰは、例えば、アクリロイル基、メタクリロイル基、アクリロイルオキシ基またはメタクリロイルオキシ基であるか、アクリロイルオキシ基またはメタクリロイルオキシ基であることができ、他の例示では、アクリロイルオキシ基であることができる。
【００５０】
本明細書において特定官能基に置換されていてもよい置換基としては、アルキル基、アルコキシ基、アルケニル基、エポキシ基、オキソ基、オキセタニル基、チオール基、シアノ基、カルボキシル基、アクリロイル基、メタクリロイル基、アクリロイルオキシ基、メタクリロイルオキシ基またはアリール基などが例示されることができるが、これに限定されるものではない。
【００５１】
化学式１及び２で少なくとも１つ以上存在することができる−Ｏ−Ｑ−Ｐまたは化学式２の残基は、例えば、Ｒ３、Ｒ８またはＲ１３の位置に存在することができる。また、互いに連結され、−Ｏ−Ｑ−Ｐで置換されたベンゼンを構成する置換基は、例えば、Ｒ３及びＲ４であるか、またはＲ１２及びＲ１３であることができる。また、上記化学式１の化合物または化学式２の残基で−Ｏ−Ｑ−Ｐまたは化学式２の残基以外の置換基または互いに連結されてベンゼンを形成している置換基以外の置換基は、例えば、水素、ハロゲン、炭素数１〜４の直鎖または分岐鎖のアルキル基、炭素数１〜４の直鎖または分岐鎖アルコキシ基を含むアルコキシカルボニル基、炭素数４〜１２のシクロアルキル基、炭素数１〜４のアルコキシ基、シアノ基またはニトロ基であることができ、他の例示では、塩素、炭素数１〜４の直鎖または分岐鎖のアルキル基、炭素数４〜１２のシクロアルキル基、炭素数１〜４のアルコキシ基、炭素数１〜４の直鎖または分岐鎖アルコキシ基を含むアルコキシカルボニル基またはシアノ基であることができる。
【００５２】
重合性液晶化合物は、水平配向された状態で液晶層に含まれていてもよい。１つの例示において上記化合物は、 水平配向状態で重合され、液晶層に含まれていてもよい。本明細書において、用語「水平配向」は、液晶化合物を含む液晶層の光軸が液晶層の平面に対して約０度〜約２５度、約０度〜約１５度、約０度〜約１０度、約０度〜約５度または約０度の傾斜角を有する場合を意味することができる。
【００５３】
１つの例示で偏光調節層の液晶層、例えば第１及び／または第２領域は、面内における遅相軸方向の屈折率と面内における進相軸方向の屈折率の差が０．０５〜０．２、０．０７〜０．２、０．０９〜０．２または０．１〜０．２の範囲であることができる。上記で面内における遅相軸方向の屈折率は、液晶層の平面で最も高い屈折率を示す方向の屈折率を意味し、進相軸方向の屈折率は、液晶層の平面上で最も低い屈折率を示す方向の屈折率を意味することができる。通常、光学異方性の液晶層において進相軸と遅相軸は、互いに垂直な方向に形成されている。上記それぞれの屈折率は、５５０ｎｍまたは５８９ｎｍの波長の光に対して測定した屈折率であることができる。上記屈折率の差は、例えば、Ａｘｏｍａｔｒｉｘ社のＡｘｏｓｃａｎを利用して製造社のマニュアルによって測定することができる。液晶層は、また、厚さが約０．５μｍ〜２．０μｍまたは約０．５μｍ〜１．５μｍであることができる。上記屈折率の関係と厚さを有する液晶層は、適用される用途に適した位相遅延特性を具現することができる。１つの例示で、上記屈折率の関係と厚さを有する液晶層は、光分割用光学素子に適している。
【００５４】
第１及び第２領域の境界に存在することができる第３領域は、例えば、上記第１及び第２領域とは位相遅延特性が異なる領域であるか、位相遅延特性を有しない領域または散乱機能を有する領域であることができる。例えば、第３領域は、線偏光された光が入射すれば、これを線偏光された光として射出させるか、あるいは非偏光された光として射出させることができる。第３領域が線偏光された光を線偏光された状態で射出させるときには、例えば、第１及び第２領域が実質的に互いに垂直な方向に線偏光された光を生成する場合には、上記互いに垂直な方向に線偏光された光の偏光軸とは異なる第３の方向に線偏光された光として射出させることができる。
【００５５】
例えば、光学フィルタが立体映像表示装置に適用される場合に、上記第３領域を透過した光を偏光メガネを着用して観察すれば、上記光は、第１及び第２領域を透過した光に比べて減少した強さで偏光メガネを透過するか、あるいは遮断されることができる。これにより、上記光学フィルタを含む表示装置では、例えば、クロストーク率を減少させることができるなどの利点がある。１つの例示で、上記第３領域で射出された光は、第１または第２領域で射出された光に比べて３０％以上、３０〜８０％、３０〜７５％、３０〜７０％、３０〜６５％、３０〜６０％、３０〜５５％、３５〜８０％、４０〜８０％、４５〜８０％、３５〜７５％、３５〜７０％、４０〜６５％、４０〜６０％、４５〜５５％または約５０％程度減少した比率で偏光メガネを透過することができる。
【００５６】
第３領域は、例えば、等方性領域、位相遅延領域または光散乱領域であることができる。等方性領域である場合は、例えば、液晶層のような偏光調節層が第１及び／または第２領域に対応する領域にのみ存在する場合、または第３領域に対応する領域にはガラスや等方性物質が存在する場合が例示されることができる。
【００５７】
位相遅延領域または光散乱領域である場合には、第３領域が上記記述したような液晶層であることができる。
【００５８】
例えば、上記第１〜第３領域は、いずれも液晶層であることができる。このような場合に、例えば、第１領域は、第１方向に形成された光軸を有し、第２領域は、上記第１方向と同一であるかまたは異なる第２方向に形成された光軸を有し、第３領域は、上記第１及び第２方向とは異なる第３方向に光軸を有する領域であることができる。
【００５９】
上記のような場合、例えば、上記第１及び第２方向は、異なっていて、また、互いに垂直を成していてもよい。例えば、上記第１及び第２方向が互いに異なっていて、上記第３方向は、上記第１及び第２方向が成す角度を二等分する線と実質的に平行するか、垂直な方向に形成されることができる。すなわち、第３方向は、下記一般式１の条件を満たすことができる。
【００６０】
［一般式１］
２ｘＡ＝（Ｒ＋Ｌ）
【００６１】
一般式１で、Ａは、光学フィルタ平面の任意の仮想の直線から時計方向に測定された上記仮想の直線と第３方向が成す角度であり、Ｒは、上記仮想の直線から時計方向に測定された上記仮想の直線と第１方向が成す角度であり、Ｌは、上記仮想の直線から時計方向に測定された上記仮想の直線と第２方向が成す角度である。
【００６２】
例えば、上記光学フィルタが上記記述した表示装置に適用されるフィルタである場合に、上記仮想の直線は、表示装置の偏光板、例えば、第２偏光板の光吸収軸と平行な方向であることができる。
【００６３】
第３領域が上記のような光軸を有するようにする方法は、特に制限されない。例えば、後述する液晶の配向過程で第１〜第３領域の配向方向をそれぞれ制御すれば、上記のような第３領域を形成することができる。第３領域の位相差は、上記のような光軸を有すれば、特に制限されず、例えば、工程性を考慮して第１及び／または第２領域の位相差と同一の位相差を有することができる。
【００６４】
第３領域が散乱領域である場合には、第３領域に対応する部分に散乱性物質が存在することができる。散乱性物質の例としては、非配向された液晶化合物が例示されることができる。すなわち、上記光学フィルタにおいて第１及び／または第２領域は、上記記述したような配向された液晶領域であり、第３領域は、非配向された液晶領域であることができる。このような第３領域は、後述する液晶の配向過程で第３領域に該当する部分の液晶化合物を配向させないことによって形成することができる。
【００６５】
光学フィルタは、基材層をさらに含むことができる。上記記述した偏光調節層は、例えば上記基材層上に形成されていてもよい。
【００６６】
基材層としては、例えば、ガラス基材層またはプラスチックフィルムまたはシートなどを使用することができる。プラスチックフィルムまたはシートとしては、例えば、可視光線領域の光に対する透過率が約８０％以上または約８５％以上のフィルムまたはシートを使用することができる。
【００６７】
フィルムまたはシートとしては、ＴＡＣ（ｔｒｉａｃｅｔｙｌ  ｃｅｌｌｕｌｏｓｅ）フィルムまたはシート；ノルボルネン誘導体などのＣＯＰ（ｃｙｃｌｏ  ｏｌｅｆｉｎ  ｐｏｌｙｍｅｒ）フィルムまたはシート；ＰＭＭＡ（ｐｏｌｙ（ｍｅｔｈｙｌ  ｍｅｔｈａｃｒｙｌａｔｅ）フィルムまたはシート；ＰＣ（ｐｏｌｙｃａｒｂｏｎａｔｅ）フィルムまたはシート；ＰＥ（ｐｏｌｙｅｔｈｙｌｅｎｅ）フィルムまたはシート；ＰＰ（ｐｏｌｙｐｒｏｐｙｌｅｎｅ）フィルムまたはシート；ＰＶＡ（ｐｏｌｙｖｉｎｙｌ  ａｌｃｏｈｏｌ）フィルムまたはシート；ＤＡＣ（ｄｉａｃｅｔｙｌ  ｃｅｌｌｕｌｏｓｅ）フィルムまたはシート；Ｐａｃ（Ｐｏｌｙａｃｒｙｌａｔｅ）フィルムまたはシート；ＰＥＳ（ｐｏｌｙ  ｅｔｈｅｒ  ｓｕｌｆｏｎｅ）フィルムまたはシート；ＰＥＥＫ（ｐｏｌｙｅｔｈｅｒｅｔｈｅｒｋｅｔｏｎｅ）フィルムまたはシート；ＰＥＩ（ｐｏｌｙｅｔｈｅｒｉｍｉｄｅ）フィルムまたはシート；ＰＥＮ（ｐｏｌｙｅｔｈｙｌｅｎｅｎａｐｈｔｈａｌａｔｅ）フィルムまたはシート；ＰＥＴ（ｐｏｌｙｅｔｈｙｌｅｎｅｔｅｒｅｐｈｔｈａｌａｔｅ）フィルムまたはシート；ＰＩ（ｐｏｌｙｉｍｉｄｅ）フィルムまたはシート；ＰＳＦ（ｐｏｌｙｓｕｌｆｏｎｅ）フィルムまたはシート；ＰＶＡ（ｐｏｌｙｖｉｎｙｌａｌｃｏｈｏｌ）フィルムまたはシート；ＰＡＲ（ｐｏｌｙａｒｙｌａｔｅ）フィルムまたはシート；または非晶質フッ素樹脂フィルムまたはシートなどが例示されることができる。
【００６８】
偏光調節層が上記液晶層である場合に、光学フィルタは、基材層と液晶層との間に配向層をさらに含むことができる。
【００６９】
配向層は、液晶層の配向過程で配向方向を制御し、液晶層の光軸を制御する役目をする層であることができる。配向層としては、この分野で公知されている通常的な配向膜を使用することができる。配向層としては、線偏光された光の照射によって誘導される異性化（ｉｓｏｍｅｒｉｚａｔｉｏｎ）、フリース転位（ｆｒｉｅｓ  ｒｅａｒｒａｎｇｅｍｅｎｔ）または二量化（ｄｉｍｅｒｉｚａｔｉｏｎ）反応によって配向が決定され、決定された配向によって隣接する液晶層に配向を誘導することができる光配向層、ラビング処理されたポリイミド層のような高分子層または複数の溝領域がパターニングされているアクリル系硬化型樹脂層などが例示されることができる。
【００７０】
光学フィルタは、例えば、基材層上に配向層を形成し、上記配向層上に液晶層を形成する方式で製造することができる。この過程で配向層の形成領域を調節するか、あるいは配向方向を調節することによって、第１〜第３領域を形成することができる。
【００７１】
この分野では、液晶フィルムの製造のための配向層の種類や形成方法及びそれを使用した液晶層の形成方法が多様に公知されており、このような内容は、すべて採用されることができる。
【００７２】
本出願は、また、表示装置、例えば立体映像表示装置に関する。上記表示装置は、上記光学フィルタを含むことができる。
【００７３】
表示装置は、例えば、Ｒ及びＬ信号をそれぞれ生成することができる上記ＵＲ及びＵＬ領域を含む上記表示素子及び上記光学フィルタを含むことができる。また、上記表示素子は、上記記述したＴＣ領域を含むことができる。
【００７４】
光学フィルタは、上記装置において駆動状態でＲ信号が第１及び第２領域のうちいずれか１つの領域に入射し、Ｌ信号は、第１及び第２領域のうち他の領域に入射することができるように配置されることができる。
【００７５】
表示装置の各部品に対する具体的な事項は、既に記述した内容が同一に適用されることができる。
【００７６】
表示装置の光学フィルタは、例えば、下記数式１を満たす角度"θＵ"及び下記数式２を満たす角度"θＬ"の最大値がいずれも３度以上、５度以上、８度以上、８．５度以上、９度以上、９．５度以上、１０度以上、１０．５度以上、１１度以上、１１．５度以上、１２度以上、１２．５度以上、１３度以上、１３．５度以上、１４度以上、１４．５度以上または１５度以上になるように第３領域を含みながら表示装置に配置されていてもよい。
【００７７】
［数式１］
ｔａｎθＵ＝（Ｈ１＋２ｙ）／２Ｔ
【００７８】
［数式２］
ｔａｎθＬ＝（Ｈ１＋２Ｈ２−２ｙ）／２Ｔ
【００７９】
数式１及び２で、Ｈ１は、ＴＣ領域の幅であり、Ｈ２は、第３領域の幅であり、Ｔは、表示素子のＴＣ領域から光学フィルタ議題３領域までの距離であり、ｙは、ＴＣ領域の幅を二等分する線の上記ＴＣ領域の表面に対する仮想の法線が第３領域と当接する地点から第３領域が存在する部分までの距離である。
【００８０】
数式１及び数式２を図１１を参照して説明すれば、下記の通りである。
図１１を参照すれば、表示素子のＬ信号が第１領域１１を透過することなく観察者に伝達されることができる角度の範囲θＵまたはＲ信号が第２領域１２を透過することなく観察者に伝達されることができる角度の範囲θＬは、ＴＣ領域２３から第３領域１３までの距離ＴとＴＣ領域２３及び第３領域１３の幅によって決定されることが分かる。上記で距離Ｔは、例えば、ＴＣ領域が光学フィルタと対向する面から光学フィルタの表示素子と対向する面までの距離であることができる。
【００８１】
距離Ｔは、表示装置の仕様によって決定されものであって、特に制限されない。例えば、上記距離Ｔは、５ｍｍ以下または約０．５ｍｍ〜５ｍｍ程度であることができる。また、ＵＲ、ＵＬ及びＴＣ領域の幅や第１〜第３領域の幅は、表示装置の仕様によって適正範囲で決定されることができる。例えば、約４２インチ〜５０インチ程度の表示装置に適用される光学フィルタの場合、第１及び第２領域の幅は、約５０〜１０００μｍ、約５０〜７５０μｍまたは約１００〜５００μｍに調節されることができる。また、例えば、第３領域の幅は、約５０〜１５０μｍ、約５０〜１２０μｍまたは７０〜１２０μｍに調節されることができる。これにより、ＵＲ、ＵＬ及びＴＣ領域の幅は、例えば、第１〜第３領域の幅を考慮して同等な範囲の幅に調節されることができる。
【００８２】
図１１を参照すれば、角度"θＵ"及び"θＬ"は、距離Ｔが同一であるとき、ＴＣ及び第３領域の幅（Ｈ１及びＨ２）とＴＣ及び第３領域の相対的位置によって決定されることが分かる。
【００８３】
図１１を参照すれば、角度"θＵ"は、ｔａｎθＵがＴＣ領域の幅Ｈ１の１／２倍の数値及びＴＣ領域の幅を二等分する線の上記ＴＣ領域または表示素子の表面に対する仮想の法線Ｃが第３領域と当接する地点から第３領域が存在する部分までの距離ｙの和Ｈ１／２＋ｙを上記距離Ｔで分けた数値と同一になるように形成されていることが分かる。また、角度"θＬ"は、ｔａｎθＬがＴＣ領域の幅Ｈ１の１／２倍の数値に上記第３領域の幅Ｈ２からＴＣ領域の幅Ｈ１を二等分する線の上記ＴＣ領域または表示素子の表面に対する仮想の法線Ｃが第３領域と当接する地点から第３領域が存在する部分までの距離ｙを差し引いた数値Ｈ２−ｙの和Ｈ１／２＋Ｈ２−ｙを上記距離Ｔで分けた数値と同一になるように形成されていることが分かる。
【００８４】
ＴＣ及び第３領域を含む表示装置では、ＴＣ及び第３領域のサイズ、例えば、幅と上記ＴＣ及び第３領域の相対的位置を適切に調節することによって、立体映像の観察時に広い視野角を確保しながらも、輝度特性を優秀に確保することができる。
【００８５】
これにより、上記表示装置は、正面で観察した相対輝度が６０％以上、６５％以上または７０％以上であり、また、それと同時に上記数式１を満たす角度"θＵ"の最大値及び上記数式２を満たす角度"θＬ"の最大値がいずれも３度以上、５度以上、８度以上、８．５度以上、９度以上、９．５度以上、１０度以上、１０．５度以上、１１度以上、１１．５度以上、１２度以上、１２．５度以上、１３度以上、１３．５度以上、１４度以上、１４．５度以上または１５度以上であることができる。
【００８６】
用語「相対輝度」は、第３領域が形成されない光学フィルタを含むか、または第３領域が形成されない光学フィルタを含み、表示素子にＴＣ領域が形成されない表示装置での輝度ＩＯに対して第３領域が形成されている光学フィルタを含むか、または第３領域が形成されている光学フィルタを含み、ＴＣ領域が形成されている表示素子での輝度ＩＴの比率ＩＴ／ＩＯを意味することができる。
【発明の効果】
【００８７】
例示的な光学フィルタは、例えば立体映像表示装置に適用され、輝度の損失なしに広い視野角で立体映像を観察することができる。
【図面の簡単な説明】
【００８８】
【図１】例示的な光学フィルタを模式的に示す。
【図２】例示的な表示装置を模式的に示す。
【図３】ＴＣ領域を含まない例示的な表示素子を示す。
【図４】ＴＣ領域を含まない例示的な表示素子を示す。
【図５】ＴＣ領域を含む例示的な表示素子を示す。
【図６】ＴＣ領域を含む例示的な表示素子を示す。
【図７】第３領域を含まない例示的な光学フィルタを示す。
【図８】第３領域を含まない例示的な光学フィルタを示す。
【図９】第３領域を含む例示的な光学フィルタを示す。
【図１０】第３領域を含む例示的な光学フィルタを示す。
【図１１】数式１及び数式２を説明するための図である。
【発明を実施するための形態】
【００８９】
以下、実施例及び比較例により上記光学フィルタを説明するが、上記光学フィルタの範囲が下記提示された実施例によって制限されるものではない。
【００９０】
製造例：光学フィルタの製造
ＴＡＣ基材（屈折率：１．４９、厚さ：８０，０００ｎｍ）の一面に光配向層形成用組成物を乾燥後の厚さが約１，０００Åになるようにコーティングし、８０℃のオーブンで２分間乾燥させた。上記で光配向層形成用組成物としては、下記化学式３のシンナメート基を有するポリノルボルネン（分子量（Ｍｗ）＝１５０，０００）及びアクリル単量体の混合物を光開始剤（Ｉｇａｃｕｒｅ  ９０７）と混合し、さらにその混合物をトルエン溶媒にポリノルボルネンの固形分濃度が２ｗｔ％になるように溶解させて製造した組成物を使用した（ポリノルボルネン：アクリル単量体：光開始剤＝２：１：０．２５（重量比））。
【００９１】
［化学式３］
【化３】
0005928755.tif 000004
【００９２】
次いで、上記乾燥した光配向層形成用組成物を配向処理し、且つ互いに異なる方向に配向された第１〜第３配向領域を含む光配向層を形成した。上記配向工程は、マスクを介した直線偏光の照射を通じて行い、光配向層が形成されているＴＡＣ基材を約３ｍ／ｍｉｎの速度で移動させながら、マスクを介して光配向層形成用組成物に線偏光された紫外線（３００ｍＷ／ｃｍ２）を照射する過程を繰り返して進行した。配向領域は、図９のように、第１及び第２配向領域が共通方向に延長するストライプ形状を有しながら互いに隣接して交互に配置され、第３配向領域が第１及び第２配向領域の間に存在するように形成した。第１及び第２配向領域の配向方向は、それぞれ第３配向領域の延長方向と時計または反時計方向に４５度を成すようにし、第３配向領域は、第３配向領域の延長方向と配向方向が平行に配向した。次いで、配向処理された配向層上に液晶層を形成した。具体的には、液晶組成物として下記化学式４で表示される多官能性重合性液晶化合物７０重量部及び下記化学式５で表示される単官能性重合性液晶化合物３０重量部を含み、適正量の光開始剤を含む液晶組成物を約１μｍの乾燥厚さになるように塗布し、下部の配向層の配向によって配向させた後に、紫外線（３００ｍＷ／ｃｍ２）を約１０秒間照射して液晶を架橋及び重合させて、下部光配向層の配向によって配向された第１〜第３領域を含み、全体的に１／４波長層の特性を示す液晶層を形成した。第１〜第３領域の幅は、それぞれ約３５０μｍ、約３５０μｍ及び約１００μｍになるようにした。
【００９３】
［化学式４］
【化４】
0005928755.tif 000005
【００９４】
［化学式５］
【化５】
0005928755.tif 000006
【００９５】
実施例１
図２のような構造を有し、製造例１で製造された光学フィルタ１を含み、表示素子２として、透過型液晶パネルを含む装置を構成した。液晶パネルとしては、ＵＲ及びＵＬ領域は、図５の配置のような形態に配置され、ＴＣ領域２３が液晶パネルのカラーフィルタのブラックマトリックスによって形成され、ＴＣ領域がＵＲ及びＵＬの領域の間でＵＲ及びＵＬ領域の一部分と重なるように形成されているパネルを使用した。ＴＣ領域がＵＲ領域と重なる範囲とＵＬ領域と重なる範囲は、同一になるようにＴＣ領域を形成した。また、光学フィルタ１の第１〜第３領域１１、１２、１３は、図９のような形態で配置されるようにした。光学フィルタの配置は、例えば、図１１でｙがＨ２／２と同一になるように配置した。ＴＣ及び第３領域間の距離（図１１でのＴ）は、約０．７ｍｍであった。
【００９６】
比較例１
製造例１と同一の方式で光学フィルタを製造し、且つ第３領域を形成せず、第１及び第２領域のみをそれぞれ幅が約４５０μｍになるように形成した光学フィルタを使用したことを除いて、実施例と同一の方法で表示装置を製造した。
【００９７】
試験例１．視野角改善効果
視野角は、クロストーク率が７％またはそれ以下で発生する角度として定義する。本実施例では、上記クロストーク率を下記のような方式で測定した。まず、表示装置の観測地点に偏光メガネを位置させる。その後、表示装置がＬ信号を出力するようにした状態で偏光メガネの左眼用及び右眼用レンズの背面に輝度計（ＳＲ−ＵＬ２  Ｓｐｅｃｔｒｏｍｅｔｅｒ）を配置し、それぞれの場合の輝度を測定する。上記で左眼用レンズの背面で測定される輝度は、明状態（Ｂｒｉｇｈｔ  ｓｔａｔｅ）の輝度であり、右眼用レンズの背面で測定される輝度は、暗状態（Ｄａｒｋ  ｓｔａｔｅ）の輝度である。各輝度を測定した後、明状態の輝度に対する暗状態の輝度の比率（［暗状態の輝度］／［明状態の輝度］）を求め、これをクロストーク率として規定した。
【００９８】
実施例１及び比較例１の装置で表示素子のＴＣ領域の幅Ｈ１を変化させながら測定した視野角は、次の通りである。下記表１から上記光学フィルタの使用によって約３．３〜３．５度の視野角改善効果があることを確認することができる。
【００９９】
【表１】
0005928755.tif 000007
【符号の説明】
【０１００】
１  光学フィルタ
１１  第１領域
１２  第２領域
１３  第３領域
２  表示素子
２１  ＵＲ領域
２２  ＵＬ領域
２３  ＴＣ領域
２４、２５  基板
３Ａ、３Ｂ  偏光板
４  光源
【図１】
0005928755.tif 000008
【図２】
0005928755.tif 000009
【図３】
0005928755.tif 000010
【図４】
0005928755.tif 000011
【図５】
0005928755.tif 000012
【図６】
0005928755.tif 000013
【図７】
0005928755.tif 000014
【図８】
0005928755.tif 000015
【図９】
0005928755.tif 000016
【図１０】
0005928755.tif 000017
【図１１】
0005928755.tif 000018